(57)【特許請求の範囲】
【請求項１】
生体組織に発光するための発光部と、
前記発光部により発光され前記生体組織を透過した光を受光するための受光部と、
前記発光部および前記受光部が取り付けられ、前記生体組織に巻回して装着するための圧縮性を有する装着テープ部と、
前記装着テープ部が前記生体組織に巻回されて装着された状態を維持するための留め部とを具備し、
前記装着テープ部は、前記発光部から発光される光を通すための第１の孔と、前記発光部により発光され前記生体組織を透過した光を通し前記受光部により受光させるための第２の孔を有し、
前記発光部は前記第１の孔に発光する光を通すように、かつ前記装着テープ部の生体組織に接触しない表面上に着脱可能に取り付けられ、
前記受光部は前記第２の孔から受光するように、かつ前記装着テープ部の生体組織に接触しない表面上に着脱可能に取り付けられているパルスフォトメトリープローブにおいて、
前記装着テープ部は、前記発光部および前記受光部が取り付けられる位置に、前記発光部および前記受光部を着脱可能に取り付けるためのテープがそれぞれ貼付されており、
前記テープは、前記装着テープ部が平らな状態にあって前記テープに前記発光部および前記受光部が所定の状態に取り付けられたときに、前記発光部および前記受光部それぞれのリード線の基端部の向きが互いに６０°から１２０°の角度をなすように形成され配置されていることを特徴とするパルスフォトメトリープローブ。
【請求項２】
生体組織に発光するための発光部と、
前記発光部により発光され前記生体組織を透過した光を受光するための受光部と、
前記発光部および前記受光部が取り付けられ、前記生体組織に巻回して装着するための圧縮性を有する装着テープ部と、
前記装着テープ部が前記生体組織に巻回されて装着された状態を維持するための留め部とを具備し、
前記装着テープ部は、前記発光部から発光される光を通すための第１の孔と、前記発光部により発光され前記生体組織を透過した光を通し前記受光部により受光させるための第２の孔を有し、
前記発光部は前記第１の孔に発光する光を通すように、かつ前記装着テープ部の生体組織に接触しない表面上に着脱可能に取り付けられ、
前記受光部は前記第２の孔から受光するように、かつ前記装着テープ部の生体組織に接触しない表面上に着脱可能に取り付けられているパルスフォトメトリープローブにおいて、
前記装着テープ部は、前記発光部および前記受光部が取り付けられる位置に、面状ファスナのフック部またはループ部が設けられ、前記発光部および前記受光部の少なくとも前記装着テープ部に取り付けられる面には前記面状ファスナのループ部またはフック部がそれぞれ設けられており、
前記装着テープに貼付される前記面状ファスナのフック部またはループ部は、前記装着テープ部が平らな状態にあって前記面状ファスナの前記フック部またはループ部に前記発光部および前記受光部が所定の状態に取り付けられたときに、前記発光部および前記受光部それぞれのリード線の基端部の向きが互いに６０°から１２０°の角度をなすように形成され配置されていることを特徴とするパルスフォトメトリープローブ。
【請求項３】
生体組織に発光するための発光部と、
前記発光部により発光され前記生体組織を透過した光を受光するための受光部と、
前記発光部および前記受光部が取り付けられ、前記生体組織に巻回して装着するための圧縮性を有する装着テープ部と、
前記装着テープ部が前記生体組織に巻回されて装着された状態を維持するための留め部とを具備し、
前記装着テープ部は、前記発光部から発光される光を通すための第１の孔と、前記発光部により発光され前記生体組織を透過した光を通し前記受光部により受光させるための第２の孔を有し、
前記発光部は前記第１の孔に発光する光を通すように、かつ前記装着テープ部の生体組織に接触しない表面上に着脱可能に取り付けられ、
前記受光部は前記第２の孔から受光するように、かつ前記装着テープ部の生体組織に接触しない表面上に着脱可能に取り付けられているパルスフォトメトリープローブにおいて、
前記装着テープ部は、圧縮性部材と片面が接着面を有するカバーテープとからなり、
前記カバーテープの前記接着面は、前記圧縮部材と接着する面と、前記装着テープ部の生体組織に接触しない表面に接着することで前記留め部となる面とを有し、
前記圧縮性部材は、スポンジであることを特徴とするパルスフォトメトリープローブ。
【請求項４】
生体組織に発光するための発光部と、
前記発光部により発光され前記生体組織を透過した光を受光するための受光部と、
前記発光部および前記受光部が取り付けられ、前記生体組織に巻回して装着するための圧縮性を有する装着テープ部と、
前記装着テープ部が前記生体組織に巻回されて装着された状態を維持するための留め部とを具備し、
前記装着テープ部は、前記発光部から発光される光を通すための第１の孔と、前記発光部により発光され前記生体組織を透過した光を通し前記受光部により受光させるための第２の孔を有し、
前記発光部は前記第１の孔に発光する光を通すように、かつ前記装着テープ部の生体組織に接触しない表面上に着脱可能に取り付けられ、
前記受光部は前記第２の孔から受光するように、かつ前記装着テープ部の生体組織に接触しない表面上に着脱可能に取り付けられているパルスフォトメトリープローブにおいて、
前記装着テープ部の生体組織に接触される側の面から、前記第１の孔および前記第２の孔が、光透過性シートによりシールされていることを特徴とするパルスフォトメトリープローブ。
【請求項５】
生体組織に発光するための発光部と、
前記発光部により発光され前記生体組織を透過した光を受光するための受光部と、
前記発光部および前記受光部が取り付けられ、前記生体組織に巻回して装着するための圧縮性を有する装着テープ部と、
前記装着テープ部が前記生体組織に巻回されて装着された状態を維持するための留め部とを具備し、
前記装着テープ部は、圧縮性部材と片面が接着面を有するカバーテープからなり、
前記カバーテープの前記接着面は、前記圧縮部材と接着する面と、前記装着テープ部の生体組織に接触しない表面に装着することで前記留め部となる面を有し、
前記カバーテープは、前記発光部から発光される光を通すための第１の孔と、前記発光部により発光され前記生体組織を透過した光を通し前記受光部により受光させるための第２の孔を有し、
前記発光部は前記第１の孔に発光する光を通すように、かつ前記カバーテープの前記圧縮性部材に接着されない表面上に着脱可能に取り付けられ、
前記受光部は前記第２の孔から受光するように、かつ前記カバーテープの前記圧縮性部材に接着されない表面上に着脱可能に取り付けられ、
前記発光部から発せられた光が前記生体組織を透過し前記受光部に至るまでに透過する前記圧縮性部材の部分は少なくとも、光透過性を有することを特徴とするパルスフォトメトリープローブ。
【請求項６】
請求項５に記載のパルスフォトメトリープローブにおいて、
前記装着テープ部は、前記発光部および前記受光部を取り付けるための粘着面を有し、  前記発光部および前記受光部の少なくとも前記粘着面に取り付けられる面はパイル地であることを特徴とするパルスフォトメトリープローブ。
【発明の詳細な説明】
【０００１】
【発明の属する技術分野】
本発明は、パルスフォトメトリー方式により脈波ないし血中吸光物質を測定するためのプローブに関する。
【０００２】
【従来の技術】
従来のパルスフォトメトリー方式に用いるプローブにおいて、光源および光センサは指に巻回する支持構造の内部に埋設固定され、支持構造の下部表面に接着層を有する。そして、その接着層を生体組織の表面に装着することにより、光源および光センサの生体組織に対する固定、プローブ自体の固定がなされる（例えば、特許文献１、特許文献２参照）。
また、従来のパルスフォトメトリー方式に用いるプローブは、柔軟部材の生体組織に接触する面に発光部、受光部が配置され、取付けストラップを用いて生体組織に巻回して装着する（例えば、特許文献３参照）。
【０００３】
【特許文献１】
特公平２−２０２５２号公報
【特許文献２】
米国特許第４８３００１４号明細書
【特許文献３】
米国特許第５９１９１３３号明細書
【０００４】
【発明が解決しようとする課題】
しかし、皮膚がまだ弱い未熟児や新生児の指等に、特許文献１（特許文献２）に記載されるような支持構造の接着層を有するプローブを使用したのでは、装着部位の皮脂や角質層と接触することにより、接着層が劣化して、接着力が弱くなるほか、装着による局所的な圧迫を与えるおそれがある。さらには、接着層が角質層を剥離させてしまうおそれがある。
また、特許文献３に記載されるようなプローブは、固い発光部、受光部が直接生体組織に触れて圧迫してしまう。また、発光部と受光部の間にはつなぎ（ヨーク）があるので、発光部・受光部間の距離が調整できず、指等の生体組織を発光部と受光部で挟んだ状態での光軸の調整ができない。さらに、柔軟性の異なる圧縮性部材と受光部・発光部のハウジングが生体組織に接触する構造となっているので、生体組織に巻回して装着した状態で、外部から圧力が加わると全面に均一化された圧力分散となりにくい。
本発明は、上記問題点を解決するためになされたものであり、その目的は、皮膚が弱い患者に装着しても、装着による極所的な圧迫による壊死、発赤、炎症を生じさせず圧力が分散されるプローブを提供することである。
【０００５】
【課題を解決するための手段】
本発明に係るパルスフォトメトリープローブは、請求項１に記載したように、
生体組織に発光するための発光部と、
前記発光部により発光され前記生体組織を透過した光を受光するための受光部と、
前記発光部および前記受光部が取り付けられ、前記生体組織に巻回して装着するための圧縮性を有する装着テープ部と、
前記装着テープ部が前記生体組織に巻回されて装着された状態を維持するための留め部とを具備し、
前記装着テープ部は、前記発光部から発光される光を通すための第１の孔と、前記発光部により発光され前記生体組織を透過した光を通し前記受光部により受光させるための第２の孔を有し、
前記発光部は前記第１の孔に発光する光を通すように、かつ前記装着テープ部の生体組織に接触しない表面上に着脱可能に取り付けられ、
前記受光部は前記第２の孔から受光するように、かつ前記装着テープ部の生体組織に接触しない表面上に着脱可能に取り付けられているパルスフォトメトリープローブにおいて、
前記装着テープ部は、前記発光部および前記受光部が取り付けられる位置に、前記発光部および前記受光部を着脱可能に取り付けるためのテープがそれぞれ貼付されており、
前記テープは、前記装着テープ部が平らな状態にあって前記テープに前記発光部および前記受光部が所定の状態に取り付けられたときに、前記発光部および前記受光部それぞれのリード線の基端部の向きが互いに６０°から１２０°の角度をなすように形成され配置されていることを特徴とする。
【００１６】
さらに、本発明に係るパルスフォトメトリープローブは、請求項２に記載したように、  前記装着テープに貼付される前記面状ファスナのフック部またはループ部は、前記装着テープ部が平らな状態にあって前記面状ファスナの前記フック部またはループ部に前記発光部および前記受光部が所定の状態に取り付けられたときに、前記発光部および前記受光部それぞれのリード線の基端部の向きが互いに６０°から１２０°の角度をなすように形成され配置されていることを特徴とする。
【００１７】
さらに、本発明に係るパルスフォトメトリープローブは、請求項３に記載したように、  前記圧縮性部材は、スポンジであることを特徴とする。
【００１８】
さらに、本発明に係るパルスフォトメトリープローブは、請求項４に記載したように、  前記装着テープ部の生体組織に接触される側の面から、前記第１の孔および前記第２の孔が、光透過性シートによりシールされていることを特徴とする。
【００１９】
あるいは、本発明に係るパルスフォトメトリープローブは、請求項５に記載したように、
生体組織に発光するための発光部と、
前記発光部により発光され前記生体組織を透過した光を受光するための受光部と、
前記発光部および前記受光部が取り付けられ、前記生体組織に巻回して装着するための圧縮性を有する装着テープ部と、
前記装着テープ部が前記生体組織に巻回されて装着された状態を維持するための留め部とを具備し、
前記装着テープ部は、圧縮性部材と片面が接着面を有するカバーテープからなり、
前記カバーテープの前記接着面は、前記圧縮部材と接着する面と、前記装着テープ部の生体組織に接触しない表面に装着することで前記留め部となる面を有し、
前記カバーテープは、前記発光部から発光される光を通すための第１の孔と、前記発光部により発光され前記生体組織を透過した光を通し前記受光部により受光させるための第２の孔を有し、
前記発光部は前記第１の孔に発光する光を通すように、かつ前記カバーテープの前記圧縮性部材に接着されない表面上に着脱可能に取り付けられ、
前記受光部は前記第２の孔から受光するように、かつ前記カバーテープの前記圧縮性部材に接着されない表面上に着脱可能に取り付けられ、
前記発光部から発せられた光が前記生体組織を透過し前記受光部に至るまでに透過する前記圧縮性部材の部分は少なくとも、光透過性を有することを特徴とする。
【００２０】
さらに、本発明に係るパルスフォトメトリープローブは、請求項６に記載したように、  請求項５に係る構成において、前記装着テープ部は、前記発光部および前記受光部を取り付けるための粘着面を有し、
前記発光部および前記受光部の少なくとも前記粘着面に取り付けられる面はパイル地であることを特徴とする。
【００２１】
【発明の実施の形態】
以下、本発明に係るパルスフォトメトリープローブの第１の実施の形態を、図面を参照しながら詳細に説明する。
【００２２】
図１は、本実施の形態に係るパルスフォトメトリープローブの外観を示す図である。図１に示すように、パルスフォトメトリープローブは大きくわけて測定素子部２０と装着テープ部３０に分けられる。
【００２３】
［測定素子部２０］
測定素子部２０は、光を発するための発光部１（ＬＥＤ等）と、その発光部１から発せられ生体組織を透過した光を受光するための受光部２（フォトダイオード等）と、発光部１へ発光駆動信号を送り受光部２から受光信号を装置本体（図示しない）に送信するためのＹ字ケーブル３と、装置本体に取り付けるためのコネクタ４からなる。Ｙ字ケーブル３は発光部１と受光部２へそれぞれ接続される２本のリード線からなる。
発光部１と受光部２を一体にせず、それぞれ分けられた測定部とすることで、ケーブル径を細く柔軟にできる。また、発光部１、受光部２との間の距離は固定されていない。
【００２４】
［装着テープ部３０］
次に図２、図３を用いて、装着テープ部３０について説明する。
装着テープ部３０は、生体組織（指、足等）に直接巻回される圧縮性を有するスポンジ５と、片面が接着面１０でスポンジ５と接着されるカバーテープ９とを有する。カバーテープ９の接着面１０は、スポンジ５と接着する面と、スポンジ５に接着しない面とがある。スポンジ５に接着しない面は、装着テープ部３０を生体組織に巻回して装着する際に、カバーテープ９の表面に接着されて、装着状態を維持するための留め部としての役割を果たす。なお、生体組織への装着前は、スポンジ５に接着しない接着面は剥離紙１２によりカバーされている。
なお、スポンジ５に接着しないカバーテープ９の接着面は、その代わりに、面状ファスナ等を用いても良い。
また、カバーテープ９の材料は、伸縮性のあるバンテージや、収縮性のない紙テープであってもよい。好適には、カバーテープ９の材料は、粘着剤が塗布された不織布伸縮テープがよい。
さらに、生体組織に直接接触する部材がスポンジ５のみであるため、生体組織表面の凹凸にも柔軟に接触できて密着性がよく、生体組織にかかる圧力を分散される。
【００２５】
さらに、装着テープ部３０は発光部１から発光される光を通すための第１の孔１３と、発光部１により発光され生体組織を透過した光を通し受光部２により受光させるための第２の孔１４が設けられている。
また、発光部１は、第１の孔１３を通して光が発光できるように、カバーテープ９の上面に着脱可能に取り付けられるようになっている。受光部２は、第２の孔１４を通して光が受光できるように、カバーテープ９の上面に着脱可能に取り付けられるようになっている。その構造は、遮光性を有し第１の孔１３、第２の孔１４とほぼ同じ大きさの孔が設けられた黒色の円環状の両面テープ８がそれぞれ、第１の孔と第２の孔に同心軸上に貼付されていることにより着脱可能となっている。
ここで、カバーテープ９に設けられた第１の孔１３と第２の孔１４を構成する孔１３Ａと１４Ａは、スポンジ５に設けられた第１の孔１３と第２の孔１４を構成する孔１３Ｂと１４Ｂよりも大きく形成されており、スポンジ５とカバーテープ９の間に設けられる両面テープ８の粘着面がその孔１３Ａ，１４Ａから現れるようになっている。発光部１および受光部２はそれぞれ孔１３Ａ，１４Ａから現れる両面テープ８の粘着面に接着されて取り付けられるようになっている。
なお、発光部１、受光部２が装着テープ部３０に取り付けられる前では、その両面テープ８の表面に現れた部分には剥離紙１１が貼付されている。そして、発光部１と受光部２を装着テープ部３０に取り付ける際、剥離紙を剥がし、発光部１、受光部２を両面テープ８に取り付ける。
このような構造のため、発光部１、受光部２などの測定素子は、患者の生体組織（皮膚）に直接接触しないように装着テープ部３０の背面（生体組織と接する面と反対の面）の測定素子を装着する部分に固定されることになる。
さらに、発光部１、受光部２の間の距離は固定的ではないので、第１の孔１３あるいは第２の孔１４を楕円状等にすることで、装着テープ部３０に取り付ける際、発光部１、受光部２の間の距離を調節するようにすることもできる。それによりプローブ装着時の発光部１と受光部２のそれぞれの光軸を対向させるように微調整することもできる。あるいは、第１の孔１３と第２の孔１４の距離が異なる装着テープ部３０を複数個用意しておき、患者の生体組織（指等）の大きさに応じて、適切な装着テープ部３０を選択するようにしてもよい。
【００２６】
また、装着テープ部３０が生体組織に巻回されて装着されている状態のときに、発光部１と受光部２からの生体組織への圧力を分散させるために、プレート６が、第１の孔と第２の孔に同心軸上であって、両面テープ８よりも、生体組織接触面寄りに設けられている。本実施の形態では第１の孔１３、第２の孔１４と同じ大きさの孔を有する円環状であるが、透明なプレートであれば円盤状であってもよい。なお、プレート６の生体組織接触面寄りの面は両面テープ７が貼付され、スポンジ５に貼付されるようになっている。
プレート６は、発光部１、受光部２の取付表面よりも大きい表面を持たせることにより、スポンジ５の持つ緩衝作用とあいまって生体組織表面（皮膚）に対する圧力を分散することができる。特に、発光部１、受光部２のエッジ部分に生じうる局所的圧迫もこのプレート６とスポンジ５によって防止することができる。なお、本実施の形態では各部品の接着に両面テープを用いたが、熱溶着等によってもよい。
また、プレートの材料は、ＡＢＳ、ＰＥＴでもよく、塩化ビニールであってもよい。
【００２７】
また、上記実施の形態では、円環状の粘着両面テープ８に光透過性の無い黒色粘着テープを用いているが、カバーテープ９、円環状の粘着両面テープ８、円環状プレート６、スポンジ５のいずれかについて、遮光性のものを用いることにより、測定誤差の原因となる外来光を遮断することができる。
【００２８】
図１に示すように本実施の形態では、装着テープ部３０の第１の孔１３と第２の孔１４との間に、３つの孔を装着テープ部３０の幅方向に設けている。これは装着テープ部３０を患者に装着する際に曲げやすくするためである。
【００２９】
［装着方法・使用方法］
次に装着方法について説明する。
装着テープ部３０の測定素子装着部に発光部１および受光部２を取り付け固定する。発光部１と受光部２とを、それぞれが患者の測定部位（指、足等）を間にして対向するように配置させ、装着テープ部３０を生体組織に巻回する。ここで、指に、剥離紙１２を剥離させながら装着する様子を図４に示す。また、足の甲に発光部１を、その対向する足裏に受光部２を配置して装着しようとする様子を図５（ａ）に示す。
さらに装着テープ部３０の端部にある留め部である粘着面１０を巻回したカバーテープ９の背面に接着させることでプローブ全体を装着し固定することができる。図５（ｂ）は足に装着しようとする様子を示す図である。
巻回の強さは、装着部位より遠位の生体組織（皮膚の色など）、あるいはプローブにより検出される測定脈波波形等によって加減する。
発光部１と受光部２は測定素子装着部に固定されているが、巻回される装着テープ部３０が発光部１と受光部２の背面を覆うのに十分な長さをすることにより、発光部１と受光部２の離脱を防止することができる。
なお、使用方法としては、装着テープ部３０をディスポーザブルとして使用し、測定素子部２０を再利用することで、コスト的に効率のよい利用が可能である。
【００３０】
図６は、第２の実施の形態を示す図である。本実施の形態は、上記第１の実施の形態のプローブにおいて、発光部１、受光部２を装着テープ部３０に取り付けるために、面状ファスナ４０を用いたものである。すなわち、粘着両面テープ８のカバーテープ９側の面に、面状ファスナ４０のフック部４０Ａを貼付け、発光部１および受光部２の表面に面状ファスナ４０のループ部４０Ｂを貼付けたものである。
【００３１】
ここで、発光部１または受光部２の構成を図７の断面図に示し、外観を図８に示す。これらの図に示すように、発光素子または受光素子４１は、２つのシートで覆われている。すなわち、光透過面を有する側は透明なシート４２で覆われ、その反対側は遮光性を有するシート４４で覆われている。これらのシート４２、４４としては例えば塩化ビニールシートを用い、それらの周辺を高周波溶着により接着する。また、これら２つのシート４２、４４の外側表面全体は、面状ファスナ４０のループ部４０Ｂが貼付けられている。発光素子または受光素子４１の発光面または受光面４１ａは、光を遮らないようにループ部４０Ｂに窓部４３が設けられている。本プローブの他の構成は、上述した実施の形態のプローブと同じである。
【００３２】
本プローブはこのように面状ファスナ４０を用いているので、装着テープ部３０に対し発光部１および受光部２を繰り返し着脱しても、その着脱は確実に行うことができる。
このように、本実施の形態では、発光部１および受光部２の表面にループ部４０Ｂを設け、装着テープ３０側にフック部４０Ａを設けたが、これらフック部４０Ａとループ部４０Ｂを逆にしても良い。ただし、ループ部４０Ｂの方が感触が良いので、作業者が良く触れる発光部１および受光部２の方にループ部４０Ｂを設けた方が作業者には好ましい。
【００３３】
図９は、第３の実施の形態を示す図である。本実施の形態は、上記第１の実施の形態のプローブにおいて、カバーテープ９に設けられた孔１３Ａと１４Ａをその長径方向が互いに６０°から１２０°となるように配置したものである。すなわち、両面テープ８のカバーテープ９から露出した粘着面は、装着テープ部３０が平らな状態にあって両面テープ８に前記発光部および前記受光部が所定の状態に取り付けられたときに、発光部１および受光部２それぞれのリード線の基端部の向きが互いに６０°から１２０°の角度をなすように形成され配置されている。他の構成は第１の実施の形態と同じである。
このような構成により、本プローブが患者に装着され、孔１３Ａと１４Ａから現れた両面テープ８の粘着面に発光部１と受光部２が最もよく接着する状態に取り付けられると、すなわち、接着する面が最も大きくなる状態に取り付けられると、図１０に示すように、発光部１と受光部２それぞれのリード線の基端部Ｌ１，Ｌ２は引き出しやすい状態になり、このプローブの装着作業が容易となる。図１０は患者の足に本プローブを装着する様子を示したものである。
【００３４】
上記第３の実施の形態は、第１の実施の形態において、カバーテープ９に設けられた孔１３Ａと１４Ａをその長径方向が互いに６０°から１２０°となるように配置したものであったが、これは、第２の実施の形態において、同様にカバーテープ９に設けられた孔１３Ａと１４Ａをその長径方向が互いに６０°から１２０°となるように配置したものであっても良い。この場合は、リード線の引き出しやすさを備えると共に、発光部１および受光部２の着脱の確実性も向上する。
【００３５】
図１１は第４の実施の形態を示す図である。本実施の形態は、上記第３の実施の形態において、スポンジ５の生体に接触する側面から孔１３Ｂ、１４Ｂを、２枚の光透過性シート１５、１５（サージカルテープ、フィルム等がよい）によりそれぞれシールする。
この透過性シート１５をシールするのは、プローブを生体組織に装着した場合に、スポンジ５に設けた孔１３Ｂ、１４Ｂのエッジ部分が接触した生体組織部分が過度の圧迫により壊死するおそれを防止するためである。
光透過性シート１５の適正な材質の例としては、厚みが０．３〜０．４ｍｍ程度のポリウレタンエストラマを挙げることができる。光透過性シート１５の片面に粘着剤を薄く塗布し、スポンジ５にシールするとよい。
図１２は、その断面図である。図１２のように、孔１３、１４は光透過性シート１５によりシートされる。
【００３６】
なお、光透過性シート１５は、２つに分けられたものでなくともよく、図１３に示すように、スポンジ５に設けた孔１３Ｂ、１４Ｂを同時にシールするのに十分な大きさの１つのものであってもよい。
【００３７】
図１４は第５の実施の形態を示す図である。本実施の形態は、上記第３の実施の形態において、孔１３Ｂ、１４Ｂを設けず、その代わりに、スポンジ５を薄くし、スポンジ５の多孔性により光透過性を持たせることを特徴とするものである。
これも第４の実施の形態と同じく、スポンジ５に孔のエッジを形成させないようにするためのものである。
スポンジ５の適正な材質の例としては、軟性ウレタンフォームを挙げることができる。スポンジの多孔性は、光透過性を持たせるために、２５ｍｍに孔（セル）が５０〜６０個程度あれば十分である。
また、少なくとも光が透過する部分のスポンジ５の厚みは１〜２ｍｍ程度がよい。その他の部分のスポンジ５の厚みは、同じ厚みの１〜２ｍｍ程度でもよく、それより厚くしてもよい。
図１５は、その断面図である。図１５のように、光が透過する部分のスポンジ５の厚みは薄いものとされる。
このような構成にすることで、プローブを装着して測定する際に、発光部１から発せられた光が生体組織を透過し受光部２に至るまでに透過するスポンジ５の部分は少なくとも、光透過性を有することになる。
【００３８】
なお、上記の第１〜第５の実施の態様において、発光部１および受光部２には少なくとも装着テープ９に接触する面は、光が通る部分を除き、面状ファスナのようなパイル地とし、粘着両面テープ８のカバーテープ９側の面は面状ファスナを設けないようにしてもよい。この場合、双方が面状ファスナであるよりも、装着テープ９から露出しているテープ８からの発光部１および受光部２の剥離強度は弱いものとなる。そのため、軽い適度な力で発光部１および受光部２を装着テープ９から剥離することができる。
【００３９】
【発明の効果】
以上詳記したように、請求項１に係るパルスフォトメトリープローブの発明は、
生体組織に発光するための発光部と、
前記発光部により発光され前記生体組織を透過した光を受光するための受光部と、
前記発光部および前記受光部が取り付けられ、前記生体組織に巻回して装着するための圧縮性を有する装着テープ部と、
前記装着テープ部が前記生体組織に巻回されて装着された状態を維持するための留め部とを具備し、
前記装着テープ部は、前記発光部から発光される光を通すための第１の孔と、前記発光部により発光され前記生体組織を透過した光を通し前記受光部により受光させるための第２の孔を有し、
前記発光部は前記第１の孔に発光する光を通すように、かつ前記装着テープ部の生体組織に接触しない表面上に着脱可能に取り付けられ、
前記受光部は前記第２の孔から受光するように、かつ前記装着テープ部の生体組織に接触しない表面上に着脱可能に取り付けられているパルスフォトメトリープローブにおいて、
前記装着テープ部は、前記発光部および前記受光部が取り付けられる位置に、前記発光部および前記受光部を着脱可能に取り付けるためのテープがそれぞれ貼付されており、
前記テープは、前記装着テープ部が平らな状態にあって前記テープに前記発光部および前記受光部が所定の状態に取り付けられたときに、前記発光部および前記受光部それぞれのリード線の基端部の向きが互いに６０°から１２０°の角度をなすように形成され配置されていることを特徴とする。
このことにより、装着テープ部の生体組織に接触する面は接着層がないため、何度プローブを生体組織に着脱しても、生体組織との接触による装着力の減少はない。また、発光部および受光部は生体組織に直接接触することがなく、装着テープ部が圧縮性を有するため、装着状態下で生体組織への局所的圧迫を防ぎ圧力を分散させることができる。
さらに、本プローブを被験者に装着したときに、前記発光部および前記受光部それぞれのリード線を容易に引き出すことができる。
【００５０】
さらに、請求項２に係るパルスフォトメトリープローブの発明は、
前記装着テープに貼付される前記面状ファスナのフック部またはループ部は、前記装着テープ部が平らな状態にあって前記面状ファスナの前記フック部またはループ部に前記発光部および前記受光部が所定の状態に取り付けられたときに、前記発光部および前記受光部それぞれのリード線の基端部の向きが互いに６０°から１２０°の角度をなすように形成され配置されていることを特徴とする。
これにより、本プローブを被験者に装着したときに、前記発光部および前記受光部それぞれのリード線を容易に引き出すことができる。
【００５１】
さらに、請求項３に係るパルスフォトメトリープローブの発明は、
前記圧縮性部材は、スポンジであることを特徴とする。
このことにより、生体組織に接触するものがスポンジであるため、何度プローブを生体組織に着脱しても、生体組織との接触による装着力の減少は生じない。
またスポンジの圧縮性により、装着状態下での生体組織への局所的圧迫を防ぐごとができる。
【００５２】
さらに、請求項４に係るパルスフォトメトリープローブの発明は、
前記装着テープ部の生体組織に接触される側の面から、前記第１の孔および前記第２の孔が、光透過性シートによりシールされていることを特徴とする。
このことにより、プローブを生体組織に装着した場合に、装着テープ部に設けた孔のエッジ部分に接触する生体組織部分が過度の圧迫により壊死するのを防止することができる。
【００５３】
さらに、請求項５に係るパルスフォトメトリープローブの発明は、
生体組織に発光するための発光部と、
前記発光部により発光され前記生体組織を透過した光を受光するための受光部と、
前記発光部および前記受光部が取り付けられ、前記生体組織に巻回して装着するための圧縮性を有する装着テープ部と、
前記装着テープ部が前記生体組織に巻回されて装着された状態を維持するための留め部とを具備し、
前記装着テープ部は、圧縮性部材と片面が接着面を有するカバーテープからなり、
前記カバーテープの前記接着面は、前記圧縮部材と接着する面と、前記装着テープ部の生体組織に接触しない表面に装着することで前記留め部となる面を有し、
前記カバーテープは、前記発光部から発光される光を通すための第１の孔と、前記発光部により発光され前記生体組織を透過した光を通し前記受光部により受光させるための第２の孔を有し、
前記発光部は前記第１の孔に発光する光を通すように、かつ前記カバーテープの前記圧縮性部材に接着されない表面上に着脱可能に取り付けられ、
前記受光部は前記第２の孔から受光するように、かつ前記カバーテープの前記圧縮性部材に接着されない表面上に着脱可能に取り付けられ、
前記発光部から発せられた光が前記生体組織を透過し前記受光部に至るまでに透過する前記圧縮性部材の部分は少なくとも、光透過性を有することを特徴とする。
これにより、プローブを生体組織に装着した場合に、装着テープ部に設けた孔のエッジ部分に接触する生体組織部分が過度の圧迫により壊死するのを防止することができると共に、プローブの部品点数を少なくすることができる。
【００５４】
さらに、請求項６に係るパルスフォトメトリープローブの発明は、
請求項５の構成において、
前記装着テープ部は、前記発光部および前記受光部を取り付けるための粘着面を有し、  前記発光部および前記受光部の少なくとも前記粘着面に取り付けられる面はパイル地であることを特徴とする。
これにより、軽い適度な力で発光部および受光部を装着テープ部から剥離することができる。
【図面の簡単な説明】
【図１】第１の実施の形態に係るパルスフォトメトリープローブの外観を示す図である。
【図２】第１の実施の形態に係るパルスフォトメトリープローブの装着テープ部の分解図を示す図である。
【図３】第１の実施の形態に係るパルスフォトメトリープローブの装着テープ部の断面図を示す図である。
【図４】第１の実施の形態に係るパルスフォトメトリープローブを指に装着する様子を示す図である。
【図５】第１の実施の形態に係るパルスフォトメトリープローブを足に装着する様子を示す図である。
【図６】第２の実施の形態に係るパルスフォトメトリープローブの分解図を示す図である。
【図７】第２の実施の形態に係るパルスフォトメトリープローブの発光部または受光部の断面図を示す図である。
【図８】第２の実施の形態に係るパルスフォトメトリープローブの発光部または受光部の外観を示す図である。
【図９】第３の実施の形態に係るパルスフォトメトリープローブの分解図を示す図である。
【図１０】第３の実施の形態に係るパルスフォトメトリープローブを足に装着する様子を示す図である。
【図１１】第４の実施の形態に係るパルスフォトメトリープローブの分解図を示す図である。
【図１２】第４の実施の形態に係るパルスフォトメトリープローブの装着テープ部の断面図を示す図である。
【図１３】第４の実施の形態に係る他のパルスフォトメトリープローブの分解図を示す図である。
【図１４】第５の実施の形態に係るパルスフォトメトリープローブの分解図を示す図である。
【図１５】第５の実施の形態に係るパルスフォトメトリープローブの装着テープ部の断面図を示す図である。
【符号の説明】
１  発光部
２  受光部
３  Ｙ字ケーブル
４  コネクタ
５、５Ｂ  スポンジ
６  プレート
７  両面テープ
８  両面テープ
９  カバーテープ
１０  接着面
１１  剥離紙
１２  剥離紙
１３  第１の孔
１４  第２の孔
１５  光透過性シート
２０  測定素子部
３０  装着テープ部
４０  面状ファスナ
【図１】
0003896408.tif 000002
【図２】
0003896408.tif 000003
【図３】
0003896408.tif 000004
【図４】
0003896408.tif 000005
【図５】
0003896408.tif 000006
【図６】
0003896408.tif 000007
【図７】
0003896408.tif 000008
【図８】
0003896408.tif 000009
【図９】
0003896408.tif 000010
【図１０】
0003896408.tif 000011
【図１１】
0003896408.tif 000012
【図１２】
0003896408.tif 000013
【図１３】
0003896408.tif 000014
【図１４】
0003896408.tif 000015
【図１５】
0003896408.tif 000016